(57)【要約】【課題】  アームレストとして適切に使用可能なコンソールを提供すること。【解決手段】  車両の左右の座席の間に設けられ、アームレストとして機能するコンソール１において、本体３の上部を覆うように設けられるカバー２を備え、このカバー２は、車幅方向に延びる軸線を中心に本体３に対し回動可能に支持する支持部２１と、支持部２１の後方に設けられ本体３に掛止する掛止部２２を有して構成され、支持部２１に支持された状態でカバー２を回転させることにより、カバー２を本体３に取り付けられる構造となっている。【選択図】図１
2020196351.tif 000002
【特許請求の範囲】
【請求項１】
車両の左右の座席の間に設けられ、アームレストとして機能するコンソールにおいて、
本体の上部を覆うように設けられるカバーを備え、
前記カバーは、車幅方向に延びる軸線を中心に前記本体に対し回動可能に支持する支持部と、前記支持部の後方に設けられ前記本体に掛止する掛止部を有している、
コンソール。
【請求項２】
前記カバーは、前記本体の左右に一つずつ設けられている、
請求項１に記載のコンソール。
【発明の詳細な説明】
【技術分野】
【０００１】
本発明は、車両に用いられるコンソールに関する。
【背景技術】
【０００２】
従来、コンソールとして、例えば、特開２０００−１０３２９０号公報に記載されるように、車両の座席の横に設けられ、アームレストとして機能するコンソールが知られている。このコンソールは、上部に設けられるアームレスト部の前部を上下動可能に構成し、乗員の体格などに応じてアームレスト部を快適に使用できるようにしたものである。
【先行技術文献】
【特許文献】
【０００３】
【特許文献１】特開２０００−１０３２９０号公報
【発明の概要】
【発明が解決しようとする課題】
【０００４】
ところで、このコンソールは、製造時においてコンソールを構成する部材を取り付けやすい構造であることが望ましい。例えば、図６に示すように、コンソール１０１の上部に設けられるカバー１０２を本体１０３に取り付ける際、カバー１０２を上方から嵌め付けて取り付けが行えるとコンソール１０１の製造が円滑に行える。
【０００５】
ところが、このように製造されたコンソール１０１は、アームレストして用いられる場合がある。この場合、車両の乗員は、コンソール１０１に腕を乗せ、コンソール１０１のカバー１０２の前部に手を掛けることがある（図４参照）。このとき、カバー１０２が上方へ強い力で引っ張り上げられると、本体１０３からカバー１０２が外れることが考えられ、アームレストしての機構を損なうおそれがある。
【０００６】
そこで、本発明は、アームレストとして適切に使用可能なコンソールを提供することを目的とする。
【課題を解決するための手段】
【０００７】
すなわち、本発明に係るコンソールは、車両の左右の座席の間に設けられ、アームレストとして機能するコンソールにおいて、本体の上部を覆うように設けられるカバーを備え、カバーは、車幅方向に延びる軸線を中心に本体に対し回動可能に支持する支持部と、支持部の後方に設けられ本体に掛止する掛止部を有して構成されている。このコンソールによれば、カバーが、車幅方向に延びる軸線を中心に本体に対し回動可能に支持する支持部と、支持部の後方に設けられ本体に掛止する掛止部を有している。このため、カバーが支持部に支持された状態でカバーを回転させることにより、カバーを本体に取り付けることができる。そして、カバーが本体に取り付けられると、カバーの前部は支持部により支持されているため、上方へ引っ張り上げることが抑制される。従って、カバーの脱落を抑制して、適切な使用状態を維持することができる。
【０００８】
また、本発明に係るコンソールにおいて、カバーは、本体の左右に一つずつ設けられていてもよい。
【発明の効果】
【０００９】
本発明によれば、アームレストとして適切に使用可能なコンソールを提供することができる。
【図面の簡単な説明】
【００１０】
【図１】本発明の実施形態に係るコンソールの斜視図である。
【図２】図１のコンソールの平面図である。
【図３】図２のコンソールのIII-IIIにおける断面図である。
【図４】図１のコンソールの使用状態を示す図である。
【図５】図３のコンソールのV-Vにおける断面図である。
【図６】背景技術の説明図である。
【発明を実施するための形態】
【００１１】
以下、本発明の実施形態について、図面を参照して詳細に説明する。なお、各図において同一又は相当部分には同一符号を付し、重複する説明を省略する。
【００１２】
図１は本実施形態に係るコンソール１の斜視図、図２はコンソール１の平面図である。図面において、Ｘは車両の前後方向、Ｙは車両の車幅方向（左右方向）、Ｚは車両の上下方向（高さ方向）を示している。図１に示すように、コンソール１は、車両の左右の座席の間に設けられ、アームレストとして機能する。コンソール１は、カバー２及び本体３を備えている。カバー２は、本体３の上部を覆うように設けられる構成部品である。カバー２は、例えば本体３の左右の位置にそれぞれ一つずつ設けられる。本体３は、コンソール１を構成する主要部品であり、例えば前後方向に長い形状とされ、上から見て矩形状に構成される。
【００１３】
図１は、カバー２が回動して本体３に取り付けられる状況を示している。カバー２は、前後方向に延びた長尺状の部材であり、例えば断面Ｌ字型に形成される。すなわち、カバー２は、コンソール１の上部及び側部を覆うように断面がほぼＬ字型とされ、内側の側部及び底部を開放した形とされる（図５参照。図５では断面が逆Ｌ字型に図示されている）。
【００１４】
図２に示すように、本体３には、収容部４が形成されている。収容部４は、本体３の左右のカバー２の間に形成されている。収容部４は、物などが収容可能なコンソールボックスである。収容部４は、本体３を下方へ窪ませて形成されている。収容部４は、例えば前後方向に移動して開閉可能なスライドカバー４１を備えている。この収容部４は、スライドカバー４１が閉じられた状態でアームレストして用いることができる。
【００１５】
図１において、カバー２には、支持部２１及び掛止部２２が設けられている。支持部２１は、カバー２を回動可能に支持する部位である。すなわち、支持部２１は、車幅方向に延びる軸線を中心としてカバー２を本体３に対し回動可能に支持する。支持部２１は、本体３に形成される支持部３１と係合して、カバー２を回動可能に支持している。例えば、支持部３１は、車幅方向へ水平に延びる軸体である。支持部２１は、支持部３１の周囲に配置され、支持部３１を中心にカバー２を回動可能に支持する。
【００１６】
図３は、図２のIII-IIIにおけるコンソール１の垂直断面図である。図３に示すように、支持部２１は、複数のリブにより構成される。例えば、支持部２１は、リブ２１ａ、リブ２１ｂを有している。リブ２１ａ及びリブ２１ｂは、カバー２に形成される板状部材である。リブ２１ａは、上下方向及び車幅方向に延びる部材である。リブ２１ａは、支持部３１の後方に形成されている。リブ２１ａの側面は本体３に当接しており、カバー２の車幅方向の移動を規制している。リブ２１ｂは、前後方向及び車幅方向に延びる部材である。リブ２１ｂは、支持部３１の下方に形成され、カバー２が上方に移動しないように支持している。また、支持部２１は、リブ２１ｃを有していてもよい。リブ２１ｃは、前後方向及び車幅方向に延びる部材である。リブ２１ｃは、支持部３１に対し前方の位置に形成され、カバー２が後方に移動しないように支持している。さらに、支持部２１は、補強リブ２１ｄを有していてもよい。補強リブ２１ｄは、リブ２１ｂを補強する部位である。補強リブ２１ｄは、リブ２１ｃの下方の位置でリブ２１ｃと平行に設けられている。補強リブ２１ｄは、リブ２１ａ及びリブ２１ｅを介してリブ２１ｂと接合されている。リブ２１ｅは、上下方向に延びる部材であって、リブ２１ａより前方でリブ２１ｂと補強リブ２１ｄの間に設けられている。
【００１７】
このように、支持部２１を板状部材により形成することにより、カバー２の製造が容易となる。例えば、カバー２を樹脂成形により製造する場合、金型の形状がシンプルとなり、成形も行いやすくなる。また、支持部２１を板状部材により形成することにより、支持部３１との位置決めが容易に行え、本体３に対するカバー２の取り付けが容易となる。支持部２１と支持部３１がきっちりと嵌合する必要はなく、カバー２が回動可能に支持できればよい。例えば、支持部２１と支持部３１との間に遊び（ガタ）があってもよい。
【００１８】
図３に示すように、掛止部２２は、カバー２において支持部２１の後方に設けられている。掛止部２２は、カバー２を本体３に対し掛止するための部材である。掛止部２２は、本体３に形成される掛止部３２に対し掛止される。掛止部２２は、例えば、カバー２の天井部の内面から下方へ延びる掛止体とされる。本体３の掛止部３２は、掛止部２２を装着可能な凹部となっている。掛止部２２の掛止は、例えば掛止部２２の先端を鉤状として掛止部３２に対しその先端を掛け止めて行われる。なお、掛止部２２と掛止部３２の掛止は、他の公知の構造を用いて行われてもよい。図１に示すように、掛止部２２は、例えば前後方向に複数並設される。図１では、三つの掛止部２２を設ける場合について示しているが、三つ以外の設置数であってもよい。
【００１９】
次に本実施形態に係るコンソール１におけるカバー２の取り付け及びコンソール１の使用について説明する。
【００２０】
図１に示すように、コンソール１の製造において、本体３に対しカバー２が取り付けられる。本体３は、例えば車両の車体に設置されている。カバー２は、後部を上方にして斜めの状態で本体３に対し側方から近づけられる。そして、カバー２側の支持部２１が本体３側の支持部３１に嵌め込まれる。すなわち、支持部２１のリブ２１ａ及びリブ２１ｂが支持部３１の周囲に配置されるように、カバー２が本体３に接合される。
【００２１】
そして、支持部２１を中心にカバー２が回転される。つまり、図１の矢印で示すように、支持部２１を中心にカバー２を回転させ、カバー２の後部を降下させる。これにより、掛止部２２が本体３側の掛止部３２に掛止され、カバー２が本体３に取り付けられる。掛止部２２が掛止部３２に掛止されるため、カバー２が容易に脱落することはない。また、カバー２を回転させて本体３に対し振り下ろすことで、カバー２が容易に取り付けられる。
【００２２】
このように製造されたコンソール１は、使用時においてアームレストとして機能する。図４に示すように、車両の乗員Ａは、コンソール１に腕を乗せることができる。このとき、車両の乗員Ａは、コンソール１のカバー２の前部に手を掛けることがある。この状態で、カバー２が上方へ引っ張り上げられたとしても、カバー２が容易に脱落することはない。すなわち、図３に示すように、カバー２の前部では、支持部２１と支持部３１が係合しているため、カバー２の前部は本体３と強固に取り付けられ、本体３からカバー２の前部が上方へ外れることが抑制される。
【００２３】
図５は、図３のV-Vにおける垂直断面図である。図５に示すように、カバー２が上方へ引っ張り上げられた場合、カバー２のリブ２１ｂが本体３の支持部３１に当接する。このため、カバー２は、上方への引き上げに対して容易に脱落しない。また、リブ２１ｂは、リブ２１ｅ等を通じて補強リブ２１ｄと接合されているため、支持部３１の当接時に容易に変形せず破損しない。このように支持部２１と支持部３１を係合させることにより、コンソール１がアームレストとして使用された場合に、カバー２の脱落及び破損を抑制することができる。
【００２４】
以上のように、本実施形態に係るコンソール１によれば、カバー２を本体３に対し回動可能に支持する支持部２１と、支持部２１の後方に設けられ本体３に掛止する掛止部２２を有している。このため、カバー２が支持部２１に支持された状態でカバー２を回転させることにより、カバー２を本体３に取り付けることができる。従って、カバー２の組付けが容易となり、コンソール１の製造効率が向上する。
【００２５】
そして、カバー２が本体３に取り付けられると、カバー２の前部は支持部２１により支持されているため、上方へ引っ張り上げることが抑制される。従って、カバー２の脱落を抑制して、適切な使用状態を維持することができる。コンソール１は、アームレストとして用いられる場合、カバー２の前部が上方へ引上げられるような使用が行われる。このため、カバー２の前部の引き上げに対する強度を高めることにより、コンソール１の通常の使用が維持される。
【００２６】
以上、本発明の実施形態について説明したが、上述した実施形態は本発明に係るコンソールの一実施形態を説明したものであり、本発明に係るコンソールは上記実施形態に記載されたものに限定されない。本発明に係るコンソールは、各請求項に記載した要旨を変更しない範囲で上記実施形態に係るコンソールを変形し、又は他のものに適用したものなどであってもよい。
【００２７】
例えば、上述した実施形態では、コンソール１においてカバー２を左右に二つ備えたものについて説明したが、カバー２は一つであってもよい。この場合であっても、上述した実施形態に係るコンソール１と同様な作用効果が得られる。
【００２８】
また、上述した実施形態では、本体３側の支持部３１が軸体であり、カバー２側の支持部２１が支持部３１の周囲に配置される構成であったが、カバー２側の支持部２１が軸体であり、本体３側の支持部３１が支持部２１の周囲に配置される構成であってもよい。この場合であっても、上述した実施形態に係るコンソール１と同様な作用効果が得られる。
【００２９】
また、上述した実施形態では、カバー２側の掛止部２２が本体３側の掛止部３２に嵌め込まれる構成であったが、本体３側の掛止部３２がカバー２側の掛止部２２に嵌め込まれる構成であってもよい。この場合であっても、上述した実施形態に係るコンソール１と同様な作用効果が得られる。
【００３０】
また、上述した実施形態では、左右のカバー２の間には収容部４が形成される場合について説明したが、収容部４を形成しないコンソールであってもよい。また、収容部４に代えてカップホルダなどの異なる用途に用いられるものを形成していてもよい。この場合であっても、上述した実施形態に係るコンソール１と同様な作用効果が得られる。
【符号の説明】
【００３１】
１…コンソール、２…カバー、３…本体、４…収容部、２１…支持部、２１ａ…リブ、２１ｂ…リブ、２１ｃ…リブ、２１ｄ…補強リブ、２１ｅ…リブ、２２…掛止部、３１…支持部、Ａ…乗員。
【図１】
2020196351.tif 000003
【図２】
2020196351.tif 000004
【図３】
2020196351.tif 000005
【図４】
2020196351.tif 000006
【図５】
2020196351.tif 000007
【図６】
2020196351.tif 000008